(57)【要約】  【課題】  ブラッシング作業を適切に調整でき、高いブラッシング効果が得られる動物用櫛ブラシを提供する。  【解決手段】  本体から延出する形状の複数の櫛歯を含む動物用櫛ブラシであって、複数の前記櫛歯のうちの少なくとも一部は、延出方向に関して波形状に形成された部分を含む第１波形状櫛歯である動物用櫛ブラシ。【選択図】  図３
2019054829.tif 000002
【特許請求の範囲】
【請求項１】
本体から延出する形状の複数の櫛歯を含む動物用櫛ブラシであって、
複数の前記櫛歯のうちの少なくとも一部は、延出方向に関して波形状に形成された部分を含む第１波形状櫛歯である
ことを特徴とする動物用櫛ブラシ。
【請求項２】
請求項１に記載の動物用櫛ブラシであって、
前記第１波形状櫛歯は、歯先に向かうにつれて波形状のピッチが大きくなっている
ことを特徴とする動物用櫛ブラシ。
【請求項３】
請求項１又は２に記載の動物用櫛ブラシであって、
複数の前記櫛歯のうちの少なくとも一部は、ブラッシング方向に関して波形状に形成された部分を含む第２波形状櫛歯である
ことを特徴とする動物用櫛ブラシ。
【請求項４】
請求項３に記載の動物用櫛ブラシであって、
前記第２波形状櫛歯は、歯先に向かうにつれて波形状のピッチが大きくなっている
ことを特徴とする動物用櫛ブラシ。
【請求項５】
請求項１〜４のいずれか一項に記載の動物用櫛ブラシであって、
複数の前記櫛歯のうちすくなくとも一部は、櫛歯間隙に向かって凸出する三角歯を含むギザ形状櫛歯である
ことを特徴とする動物用櫛ブラシ。
【請求項６】
請求項５に記載の動物用櫛ブラシであって、
前記ギザ形状櫛歯は、歯先に向かうにつれて櫛歯間隙が大きくなるように形成されている
ことを特徴とする動物用櫛ブラシ。
【請求項７】
請求項１〜６のいずれか一項に記載の動物用櫛ブラシであって、
さらに、角度変更機構を含み、
前記櫛歯は、前記角度変更機構によって、ブラッシング面に対して、角度を変更自在に構成されている
ことを特徴とする動物用櫛ブラシ。
【請求項８】
請求項１〜７のいずれか一項に記載の動物用櫛ブラシであって、
さらに、櫛連結部を含み、
前記櫛歯は、前記櫛連結部を通して、前記本体に着脱可能に取り付けられている
ことを特徴とする動物用櫛ブラシ。
【請求項９】
請求項１〜８のいずれか一項に記載の動物用櫛ブラシであって、
さらに、複数の補助櫛歯を含む補助櫛部を含む
ことを特徴とする動物用櫛ブラシ。
【請求項１０】
請求項８に記載の動物用櫛ブラシであって、
さらに、複数の補助櫛歯を含む補助櫛部を含み、
前記補助櫛部は、前記櫛連結部を通して、前記本体に取り付けられ、
前記櫛歯と前記補助櫛歯は交互に配列される
ことを特徴とする動物用櫛ブラシ。
【発明の詳細な説明】
【技術分野】
【０００１】
本発明は、動物用ブラシに関する。
【背景技術】
【０００２】
動物の被毛のブラッシングは、被毛が毛玉にならないように解すと同時に、被毛への付着物を取り除くことを目的としている。従来、動物用ブラシとして、整毛用ピンを本体に埋設したもの（例えば、特許文献１）、刷毛を本体に植設したもの（例えば、特許文献２）等が開示されている。また、櫛歯と本体を一体に形成した櫛型の動物用ブラシも広く使われている。
【先行技術文献】
【特許文献】
【０００３】
【特許文献１】実用新案登録第３００９１５３号公報
【特許文献２】実開平６−７２３５３号公報
【発明の概要】
【発明が解決しようとする課題】
【０００４】
上記特許文献１、２に記載の動物用ブラシは、金属製素材や樹脂毛、獣毛等を用いるものが多いが、金属製のピンを用いた場合は動物の皮膚を傷めてしまうことがあり、やわらかい樹脂毛や獣毛を用いた場合はブラッシングの効果が十分に得られない場合がある。
【０００５】
また、上記櫛型の動物用ブラシは、高いブラッシング効果を得るためには、櫛歯の間隔を狭くする必要があり、猫や小型犬等のように被毛が細かい、短い場合は特に重要であるが、そのためには機械加工で切り込みを入れて作業をする等手間がかかり、コストがかかる。一方、これを、例えば樹脂成型で一体成型しようとすると、例えば櫛歯の間隔が１ｍｍ以下であると、型の寿命が短い、樹脂が流れにくい等の問題が生じやすくなるため、櫛歯の間隔を広くせざるを得なくなり、十分なブラッシング効果が得られないことが多い。
【０００６】
本発明は、上記課題の少なくとも一つを解決するためのもので、ブラッシング作業を適切に調整でき、高いブラッシング効果が得られる動物用櫛ブラシを提供することを目的とする。
【課題を解決するための手段】
【０００７】
上記課題を解決するために、本発明に係る動物用櫛ブラシは、本体から延出する形状の複数の櫛歯を含む動物用櫛ブラシであって、複数の前記櫛歯のうちの少なくとも一部は、延出方向に関して波形状に形成された部分を含む第１波形状櫛歯である。
【０００８】
また、前記第１波形状櫛歯は、歯先に向かうにつれて波形状のピッチが大きくなっていてもよい。
【０００９】
また、複数の前記櫛歯のうちの少なくとも一部は、ブラッシング方向に関して波形状に形成された部分を含む第２波形状櫛歯であってもよい。
【００１０】
また、前記第２波形状櫛歯は、歯先に向かうにつれて波形状のピッチが大きくなっていてもよい。
【００１１】
また、複数の前記櫛歯のうちすくなくとも一部は、櫛歯間隙に向かって凸出する三角歯を含むギザ形状櫛歯であってもよい。
【００１２】
また、前記ギザ形状櫛歯は、歯先に向かうにつれて櫛歯間隙が大きくなるように形成されていてもよい。
【００１３】
また、さらに、角度変更機構を含み、前記櫛歯は、前記角度変更機構によって、ブラッシング面に対して、角度を変更自在に構成されていてもよい。
【００１４】
また、さらに、櫛連結部を含み、前記櫛歯は、前記櫛連結部を通して、前記本体に着脱可能に取り付けられていてもよい。
【００１５】
また、さらに、複数の補助櫛歯を含む補助櫛部を含んでもよい。
【００１６】
また、さらに、複数の補助櫛歯を含む補助櫛部を含み、前記補助櫛部は、前記櫛連結部を通して、前記本体に取り付けられ、前記櫛歯と前記補助櫛歯は交互に配列されていてもよい。
【発明の効果】
【００１７】
本発明によれば、ブラッシング作業を適切に調整でき、高いブラッシング効果が得られる動物用櫛ブラシを提供することができる。
【図面の簡単な説明】
【００１８】
【図１】実施形態１に係る動物用櫛ブラシを説明するための図で、図１（ａ）は平面図、図１（ｂ）は正面図、図１（ｃ）は櫛歯側から見た側面図である。
【図２】実施形態１に係る動物用櫛ブラシを説明するための図である。
【図３】実施形態１の変形例１に係る動物用櫛ブラシを説明するための図である。
【図４】実施形態１の変形例１に係る動物用櫛ブラシを説明するための図である。
【図５】実施形態１の変形例２に係る動物用櫛ブラシを説明するための図である。
【図６】実施形態１の変形例２に係る動物用櫛ブラシを説明するための図である。
【図７】実施形態１の変形例３に係る動物用櫛ブラシを説明するための図である。
【図８】実施形態２に係る動物用櫛ブラシを説明するための図である。
【図９】実施形態２に係る動物用櫛ブラシを説明するための図である。
【図１０】実施形態２に係る動物用櫛ブラシを説明するための図である。
【図１１】実施形態２に係る動物用櫛ブラシを説明するための図である。
【発明を実施するための形態】
【００１９】
以下、図面を参照して本願に係る動物用櫛ブラシの実施形態の例を説明する。以下では、ブラッシング対象に近づく方向を「下方」とし、その逆方向を「上方」とする。また、ブラッシング方向を「前方」とし、その逆方向を「後方」とする。
【００２０】
＜実施形態１＞
図１及び図２は実施形態１に係る動物用櫛ブラシ１を説明するための図で、そのうち、図１（ａ）は平面図、図１（ｂ）は正面図、図１（ｃ）は櫛歯側から見た側面図である。
【００２１】
動物用櫛ブラシ１は、ブラッシング用の複数の櫛歯２と、本体３と、を含む。
【００２２】
複数の櫛歯２は、本実施形態においては、本体３の後述の基部３１と一体に形成される。櫛歯２は、基部３１から延出する形状に形成される。
【００２３】
一例として、櫛歯２は、前後方向に幅広で左右方向に幅狭の板状に形成される。櫛歯２は、図示のように、前後方向における幅が、歯先に向かって徐々に狭くなるように形成されてもよい。また、好ましくは、少なくとも歯先から１／３を占める部分が、前方に向かって湾曲する形状に形成される。
【００２４】
櫛歯２は、ブラッシング面に対して角度を変更自在に構成される。すなわち、動物用櫛ブラシ１は、角度変更機構を含み、これによって、櫛歯２がブラッシング面に対して角度を変更自在に構成される。
【００２５】
本体３は、基部３１と、接続部３２と、弾性部３３と、リング状部３４と、突出部３５と、握り部３６と、を含む。
【００２６】
一例として、基部３１は、軸芯を有する略円柱形状に形成され、櫛歯２は、基部３１の外周面からその軸方向に直交するように延出した形状に形成される。
【００２７】
基部３１は、軸方向に沿って切り開かれた開口部３１１を有する。基部３１の軸方向の一端には、押込ボタン３１２が嵌め込まれ、その内側にスプリング３１５が内設されている。基部３１の軸方向の他端の内側には、凹凸形状部分を含むロック部材３１６が内設される。
【００２８】
接続部３２は、略円筒形状に形成される。接続部３２は、基部３１の開口部３１１に嵌め込まれ、基部３１の軸芯に挿通されて、この軸芯を中心に回動できる。また、接続部３２は、一端（押圧ボタン３１２に遠い方）の側壁に凹凸形状（例えば歯車状）に形成されたロック受け部３２１を備え、押込ボタン３１２に連結したロック部材３１６に係合する。スプリング３１５はロック部材３１６を係合方向に常時付勢し、押込ボタン３１２が押されることでロック部材３１６はロック受け部３２１から離脱し、ロックが解除される。接続部３２の回動は、これによって規制される。
【００２９】
弾性部３３は、少なくとも１０〜２０度屈曲可能な部分である。一例として、図示のように、弾性部３３は、上下方向に波状に屈曲して形成される。
【００３０】
リング状部３４は、貫通孔である指通し孔３４１を有してリング状に形成される。図示の指通し孔３４１は楕円形であるが、真円形であってもよいし、他の形状であってもよい。
【００３１】
突出部３５は、リング状部３４に延設され、左右両側に突出部分を含む。また、突出部３５は、例えば、弾性部３３及びリング状部３４よりも上下方向における厚みが厚く、突出部分に対応する部分の厚みが最も厚く形成される。
【００３２】
握り部３６は、突出部３５に延設される。握り部３６も、例えば弾性部３３及びリング状部３４より厚みが厚く形成され、末端付近部分の厚みが最も厚く形成される。
【００３３】
動物用櫛ブラシ１は、上記のように、ブラッシング面に対して、櫛歯２が角度を変更自在である。すなわち、押込ボタン３１２を押すと、上記のようにロックが解除されて、接続部３２が回動可能状態となる。この状態で、所定角度回して押込ボタン３１２を放すと、再びロック状態になり、回動が規制される。なお、角度変更機構は、櫛歯２がブラッシング面に対して角度を変更可能であればよく、これに限定されるものではない。
【００３４】
動物用櫛ブラシ１は、このように、ブラッシング角度を調整することができ、ブラッシング対象、さらにはその対象のブラッシング部位に応じて適切な角度で作業をすることができる。
【００３５】
また、動物用櫛ブラシ１は、弾性部を含むことによって、ブラッシング対象に当接する櫛歯の力加減が自動的に調整される。これによって、ブラッシング対象の皮膚状態や毛並、骨格の凹凸等に合わせたブラッシングができ、さらにその動物にやさしいブラッシングができる。
【００３６】
また、動物用櫛ブラシ１は、リング状部３３及び突出部３４、握り部３５を含むことによって、ブラッシング対象に合わせて適切に把持して作業をすることができる。例えば、ブラッシング対象の背中部分の被毛をブラッシングする際には、指をリング状部３４に通し、他の指を突出部３５に掛けて、握り部３６を握るように把持することができる。また、ブラッシング対象のお腹部分の被毛をブラッシングする際には、握り部３６を握って作業をすることができる。
【００３７】
＜実施形態１の変形例１＞
図３及び図４は、実施形態１の変形例１に係る動物用櫛ブラシ１ａを説明するための図である。以下、実施形態１と共通する部分については同様な符号を付してその説明を省略する。
【００３８】
動物用櫛ブラシ１ａは、図示のように、櫛歯２ａが延出方向に関して波形状に形成された部分を含む。ここでは、複数の櫛歯２ａがすべて波形状に形成された部分を含む例を示しているが、一部のみが波形状に形成された部分を含んでもよい。また、図示の櫛歯２ａは、波形状のピッチが同大であるが、歯先に向かって波形状のピッチが大きく形成されてもよいし、歯先に向かって波形状のピッチが小さく形成されてもよい。
【００３９】
動物用櫛ブラシ１ａは、櫛歯２ａが延出方向に関して波形状に形成された部分を含むことによって、櫛歯間隙が同大の直線形状櫛歯に比べて、より高いブラッシング効果を得ることができる。例えば、櫛歯が、延出方向に関して波形状の部分を含んでいるため、接触面積が広くなり、より多くの被毛と接触してその付着物を除去できるようになる。
【００４０】
また、動物用櫛ブラシ１ａは、ブラッシング面に対する櫛歯２ａの角度を調整することができ、図４に示すように、この角度によってブラッシングに対する被毛の抵抗が異なるため、対象の被毛の毛並みや長さに応じて適切に調整してブラッシングをすることができる。
【００４１】
＜実施形態１の変形例２＞
図５は、実施形態１の変形例２に係る動物用櫛ブラシ１ｂを説明するための図で、図５（ａ）は櫛歯側から見た全体図、図５（ｂ）、図５（ｃ）は櫛歯の形状を説明するための図である。図６は、動物用櫛ブラシ１ｂの使用状態を説明するための図である。
【００４２】
動物用櫛ブラシ１ｂは、図示のように、櫛歯２ｂがブラッシング方向に関して波形状に形成された部分を含む。ここでは、複数の櫛歯２ｂがすべて波形状に形成された部分を含む例を示しているが、一部のみが波形状に形成された部分を含んでもよい。また、図示の櫛歯２ｂは、波形状のピッチが同大であるが、歯先に向かって波形状のピッチが大きく形成されてもよいし、歯先に向かって波形状のピッチが小さく形成されてもよい。
【００４３】
動物用櫛ブラシ１ｂは、櫛歯２ｂが、ブラッシング方向に関して波形状に形成された部分を含むことによって、櫛歯間隔が同大の直線形状の櫛歯に比べて、より高いブラッシング効果を得ることができる。例えば、櫛歯がブラッシング方向に関して波形状の部分を含んでいるため、図６に示すように被毛との接点が多くなり、より多くの被毛と接触してその付着物をより多く除去できるようになる。
【００４４】
＜実施形態１の変形例３＞
図７は、実施形態１の変形例３に係る動物用櫛ブラシ１ｃを説明するための図である。
【００４５】
動物用櫛ブラシ１ｃは、図示のように、櫛歯２ｃが、櫛歯間隙に向かって凸出する三角歯２１ｃを含んで形成される。ここでは、櫛歯２ｃがすべて三角歯を含む例を示しているが、一部のみが三角歯を含んで形成されてもよい。また、図示の櫛歯２ｃは、歯先に向かって櫛歯間隙が大きくなるように形成されているが、同大となるように形成されてもよいし、小さくなるように形成されてもよい。
【００４６】
動物用櫛ブラシ１ｃは、櫛歯２ｃを櫛歯間隙に向かって凸出する三角歯を含んで形成することによって、櫛歯間隔が同大の直線形状の櫛歯に比べて、より高いブラッシング効果を得ることができる。例えば、三角歯を含んでギザギザ形状に形成するため、被毛との接触面積が広くなり、より多くの被毛と接触してその付着物をより多く除去できる。また、様々な角度から被毛と接触するため、抵抗が大きくなり、付着物をより捉えやすくなる。
【００４７】
＜実施形態２＞
図８〜図１１は実施形態２に係る動物用櫛ブラシ１ｄを説明するための図で、図８は全体を説明するための図、図９は本体を説明するための図、図１０は櫛連結部等を説明するための図、図１１は補助櫛部を説明するための図である。以下、実施形態１と共通する部分については同様な符号を付してその説明を省略する。
【００４８】
動物用櫛ブラシ１ｄは、複数の櫛歯２ｄと、本体３ｄと、櫛連結部４と、補助櫛部５と、を含む。
【００４９】
本実施形態においては、複数の櫛歯２ｄは、櫛連結部４と一体に形成され、櫛連結部４から延出する形状に形成される。櫛歯２ｄ及び櫛連結部４は、本体３ｄに着脱自在に取り付けられる。
【００５０】
櫛歯２ｄは、実施形態１に係る櫛歯２と同様な形状に形成され、ブラッシング面に対して角度を変更自在に構成される。
【００５１】
本体３ｄは、基部３１ｄと、接続部３２と、弾性部３３と、リング状部３４と、突出部３５と、握り部３６と、を含む。
【００５２】
基部３１ｄは、実施形態１に係る基部３１と同様に軸芯（図示せず）を有する略円柱形状の部分を含み、押込ボタン３１２の反対側に凹部３１３ｄを含む。また、基部３１ｄは、この円柱形状部分から延設される部分を含み、この部分に溝３１４ｄが設けられる。これ以外の構成については、上記基部３１と同様であり、その説明を省略する。
【００５３】
櫛連結部４は、櫛歯２ｄ、補助櫛部５を本体３ｄに連結するための部分である。一例として、櫛連結部４は、櫛歯２ｄの上方においてこれと直交する方向に延びる切欠部４１を有する。この切欠部４１には下方に貫通する櫛歯孔４２が複数設けられている。また、櫛連結部４は、櫛歯２ｄと直交する方向にリブ４３が設けられ、側壁に凸部４４が設けられている。また、切欠部４１の側壁を貫通する二つの挿通孔４５を有する。
【００５４】
櫛連結部４は、リブ４３を基部３１ｄの溝部３１４ｄに挿通させ、凸部４４を基部３１ｄの凹部３１３ｄに嵌め込むことによって、本体３ｄと連結する。
【００５５】
補助櫛部５は、複数の補助櫛歯５１と、補助本体部５２と、を含む。補助櫛歯５１は、補助本体部５２から延出する形状に形成される。補助櫛歯５１は、櫛歯２ｄと同形状に形成されてもよいし、異なる形状、例えば、上記櫛歯２１ａ、２１ｂ、２１ｃと同形状に形成されてもよい。
【００５６】
補助櫛部５は、複数の櫛歯５１を櫛連結部４の櫛歯孔４２に挿通させ、補助本体部５２の両端部の凸部５２１を櫛連結部４の挿通孔４５に挿通させて、櫛連結部４ないし本体３ｄに取り付けられる。
【００５７】
なお、複数の櫛歯及び複数の補助櫛歯は、その一方又は双方が、少なくとも一部が、延出方向に関して波形状に形成された部分を含む形状であってもよい。または、少なくとも一部が、ブラッシング方向に関して波形状に形成された部分を含む形状であってもよい。または、少なくとも一部が櫛歯間隙に向かって凸出する三角歯を含む形状であってもよい。
【００５８】
動物用櫛ブラシ１ｄは、櫛歯２ｄを、櫛連結部４を通じて、本体３ｄに着脱可能に形成することによって、例えば櫛歯部分が破損した場合にこの部分だけ取り替えることができ、取替コストを削減することができる。また、櫛歯が異なるものを複数用意することによって、ブラッシング対象に応じて適切な櫛歯に取り替えることができる。
【００５９】
また、動物用櫛ブラシ１ｄは、補助櫛部５を有することによって、櫛歯間隙を調整することができ、ブラッシング対象やその対象のブラッシング部位に応じた適切なブラッシングができる。また、櫛歯と補助櫛歯を形状が異なるものとすることで、さらに柔軟に調整してブラッシングすることができるようになる。
【００６０】
なお、櫛連結部は、櫛歯ないし補助櫛部を本体に連結できるものであればよく、上記構成に限定されるものではない。また、以上では、１つの補助櫛部を含むものとして説明したが、複数の補助櫛部を含んで対象に応じて適切なものを選択して用いてもよい。また、補助櫛部にさらに補助櫛部を重ねたものを、櫛連結部を通して本体に取り付けてもよい。
【００６１】
なお、上記各実施形態における櫛歯（補助櫛歯）の形状は、これらに限定されず、さまざまな変形が可能である。例えば、櫛歯の延出方向（櫛歯の長手方向）に関して波形状を有する形態において、櫛歯の先端から櫛歯元にかけて、徐々に波の数が増える（または波の数が減る）ようにしてもよい。また、櫛歯の先端から櫛歯元にかけて、その波の大きさが徐々に小さくなるようにしても良い。また、その逆に、徐々に大きくなるようにしてもよい。
【００６２】
また、波形状の波の数は、複数回あるのが好ましく、４〜１０の波があるようにしてもよい。
【００６３】
また、櫛歯がブラッシング方向に関して波形状を有する形態において、櫛歯の先端から櫛歯元にかけて、徐々に波の数が増える（または波の数が減る）ようにしてもよい。また、櫛歯の先端から櫛歯元にかけて、その波の大きさが徐々に小さくなるようにしても良い。また、その逆に、徐々に大きくなるようにしてもよい。
【００６４】
また、櫛歯の先付近と根本の付近を直線状として、櫛歯の先から根本の間の中間付近に、波形状の部分を設けてもよい。または、根元付近にだけ、波形状を設けて、他の部分を直線状にしてもよい。
【００６５】
また、本体の櫛歯と補助櫛歯とを、異なる材質（片方を他方に比べて硬い材質）にしてもよい。また、本体の櫛歯と補助櫛歯とで、太さ、幅を異ならせてもよい。また、直線形状の櫛歯と波形状の櫛歯の組み合わせとしても良い。
【００６６】
以上、本発明に係る動物用櫛ブラシの実施形態について説明したが、これらは本発明の実施形態の一例に過ぎず、本発明はこれらに限定されるものではない。本発明には、以上の各実施形態を組み合わせた形態や、様々な変形例が含まれる。
【００６７】
また、本発明は人間用の櫛ブラシとして実施されてもよいことは言うまでもない。また、人間用櫛ブラシとして実施するにあたり、適宜変形を加えたものも含まれ得ることは上記と同様である。
【符号の説明】
【００６８】
１、１ａ、１ｂ、１ｃ、１ｄ              動物用櫛ブラシ
２、２ａ、２ｂ、２ｃ、２ｄ              櫛歯
３、３ｄ                                本体
４                                      櫛連結部
５                                      補助櫛部
【図１】
2019054829.tif 000003
【図２】
2019054829.tif 000004
【図３】
2019054829.tif 000005
【図４】
2019054829.tif 000006
【図５】
2019054829.tif 000007
【図６】
2019054829.tif 000008
【図７】
2019054829.tif 000009
【図８】
2019054829.tif 000010
【図９】
2019054829.tif 000011
【図１０】
2019054829.tif 000012
【図１１】
2019054829.tif 000013
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
本体から延出する形状の複数の櫛歯を含む動物用櫛ブラシであって、
櫛連結部を含み、
前記櫛歯は、前記櫛連結部を通して、前記本体に着脱可能に取り付けられ、
さらに、複数の補助櫛歯を含む補助櫛部を含み、
前記補助櫛部は、前記櫛連結部を通して、前記本体に取り付けられ、
前記櫛歯と前記補助櫛歯は交互に櫛歯間隙をもって配列されている
ことを特徴とする動物用櫛ブラシ。
【請求項２】
請求項１に記載の動物用櫛ブラシであって、
さらに、角度変更機構を含み、
前記櫛歯は、前記角度変更機構によって、ブラッシング面に対して、角度を変更自在に構成されている
ことを特徴とする動物用櫛ブラシ。
【請求項３】
請求項１又は２に記載の動物用櫛ブラシであって、
前記櫛歯間隙は狭いところで１ｍｍ以下である
ことを特徴とする動物用櫛ブラシ。
【請求項４】
請求項１〜３のいずれか一項に記載の動物用櫛ブラシであって、
複数の前記櫛歯のうちの少なくとも一部は、延出方向に関して波形状に形成された部分を含む第１波形状櫛歯である
ことを特徴とする動物用櫛ブラシ。
【請求項５】
請求項４に記載の動物用櫛ブラシであって、
前記第１波形状櫛歯は、歯先に向かうにつれて波形状のピッチが大きくなっている
ことを特徴とする動物用櫛ブラシ。
【請求項６】
請求項１〜５のいずれか一項に記載の動物用櫛ブラシであって、
複数の前記櫛歯のうちの少なくとも一部は、ブラッシング方向に関して波形状に形成された部分を含む第２波形状櫛歯である
ことを特徴とする動物用櫛ブラシ。
【請求項７】
請求項６に記載の動物用櫛ブラシであって、
前記第２波形状櫛歯は、歯先に向かうにつれて波形状のピッチが大きくなっている
ことを特徴とする動物用櫛ブラシ。
【請求項８】
請求項１〜７のいずれか一項に記載の動物用櫛ブラシであって、
複数の前記櫛歯のうちすくなくとも一部は、櫛歯間隙に向かって凸出する三角歯を含むギザ形状櫛歯である
ことを特徴とする動物用櫛ブラシ。
【請求項９】
請求項８に記載の動物用櫛ブラシであって、
前記ギザ形状櫛歯は、歯先に向かうにつれて櫛歯間隙が大きくなるように形成されている
ことを特徴とする動物用櫛ブラシ。